(57)【要約】【課題】小型化した圧電デバイスおよびその製造方法を提供するとともに、この圧電デバイスを利用した電子機器を提供する。【解決手段】圧電デバイス１０の製造方法は、まずシート基板における複数のデバイス形成領域に電子部品３２および圧電振動子４０をそれぞれ配置して、デバイス形成領域に配置した圧電振動子４０と電子部品３２とを導通する。この後、圧電振動子４０のベースとシート基板とを切断し、デバイス形成領域毎に個片化して圧電デバイス１０を得ている。なおシート基板と圧電振動子４０との間を樹脂モールド材３８で充たすこともできる。この場合には、圧電振動子４０、基板１２および樹脂モールド材３８の各側面が同一面を形成して、圧電デバイス１０の側面を形成している。【選択図】図１
2008136169.tif 000002
【特許請求の範囲】
【請求項１】
シート基板における複数のデバイス形成領域に電子部品および圧電振動子をそれぞれ配置して、前記デバイス形成領域毎に配置した前記圧電振動子と前記電子部品とを導通する工程と、
前記圧電振動子のベースと前記シート基板とを切断して、前記デバイス形成領域毎に個片化する工程と、
を順に行うことを特徴とする圧電デバイスの製造方法。
【請求項２】
前記圧電振動子と前記電子部品とを導通する工程は、前記圧電振動子を前記電子部品の上方に配置し、前記デバイス形成領域毎に配置した前記圧電振動子と前記電子部品とを導通する工程であり、
前記個片化する工程の前に、前記電子部品を樹脂モールド材で覆う工程を行うことを特徴とする請求項１に記載の圧電デバイスの製造方法。
【請求項３】
シート基板に電子部品を配置する工程と、
前記シート基板に接続部材を配置し、前記接続部材を介して圧電振動子を配置して、前記電子部品と前記圧電振動子とを高さ方向に並べて配置する工程と、
前記圧電振動子と前記シート基板との間を樹脂モールド材で充たすとともに、少なくとも前記圧電振動子の側面を前記樹脂モールド材で覆う工程と、
前記圧電振動子のベースと前記シート基板と前記樹脂モールド材とを一括して切断する工程と、
を順に行うことを特徴とする圧電デバイスの製造方法。
【請求項４】
前記樹脂モールド材で覆う工程は、前記圧電振動子と前記シート基板との間を前記樹脂モールド材で充たすとともに、前記圧電振動子の前記側面および前記圧電振動子の上部を覆う工程であり、
前記樹脂モールド材で覆う工程の後に、前記圧電振動子の前記上部を覆った前記樹脂モールド材を取り除く工程を行うことを特徴とする請求項３に記載の圧電デバイスの製造方法。
【請求項５】
前記樹脂モールド材で覆う工程は、前記圧電振動子の前記側面に形成したキャスタレーションを前記樹脂モールド材で覆うことを特徴とする請求項３または４に記載の圧電デバイスの製造方法。
【請求項６】
前記圧電振動子のベースの切断は、圧電振動子を構成するパッケージベースの側壁、または圧電振動子を構成するベース板を切断することを特徴とする請求項１ないし５のいずれかに記載の圧電デバイスの製造方法。
【請求項７】
前記圧電振動子は、予め個片化してあることを特徴とする請求項１ないし６のいずれかに記載の圧電デバイスの製造方法。
【請求項８】
基板の一方の面に電子部品を配設して、前記基板の他方の面に設けた外部端子と導通し、
前記基板の一方の面に接続部材を介して圧電振動子を設けて、前記電子部品と前記圧電振動子とを２階建て構造にするとともに、前記電子部品と前記圧電振動子とを導通し、
前記基板と前記圧電振動子との間に樹脂モールド材を設け、
前記圧電振動子、前記樹脂モールド材および前記基板のそれぞれの側面が同一面内にある、
ことを特徴とする圧電デバイス。
【請求項９】
請求項８に記載の圧電デバイスを搭載したことを特徴とする電子機器。
【発明の詳細な説明】
【技術分野】
【０００１】
本発明は、圧電振動子と電子部品を備えた圧電デバイスの製造方法、圧電デバイスおよび電子機器に関するものである。
【背景技術】
【０００２】
圧電デバイスには様々な種類があるが、そのうちの１つである圧電発振器は、圧電振動子と発振回路を備えた構成である。そして特許文献１に開示された圧電発振器は、発振回路を構成するＩＣチップを圧電振動子に固定している。また、この圧電発振器は、圧電振動子よりも平面サイズの大きな基板を有しており、その上面に導通端子部や接続用端子部等を設けるとともに、その下面に実装端子部を設けている。なお圧電振動子は、ＩＣチップを固定した面と反対の面を基板に向けて、この基板の上面に固定してある。そして平面視して、基板における圧電振動子よりも外側の部分に前述した導通端子部等が設けてあり、これらの端子部とＩＣチップとがワイヤで導通している。このようなＩＣチップおよび圧電振動子は樹脂で封止してある。
【特許文献１】特開２００６−５０５２９号公報
【発明の開示】
【発明が解決しようとする課題】
【０００３】
前述した圧電発振器は、製造時に基板や樹脂を切断して個片化しており、その側面が樹脂と基板とからなっている。すなわち圧電発振器の外部からは、圧電振動子が見えないようになっている。これは、平面方向における圧電振動子の外側に前述した端子部を設けているので、圧電振動子の平面サイズよりも大きく切断しなければならないからである。このため、この圧電発振器では、平面サイズを小型にすることができない。
【０００４】
また従来の圧電デバイスでは、個片化するための切断時に圧電振動子の側壁の一部も切断して、このデバイスの表面に圧電振動子の側面を露出し、小型化した構成のものは見当たらない。
【０００５】
そして近年は、ディジタル式携帯電話等を始めとする様々な電子機器が小型化されている。このため圧電発振器を使用するユーザは、圧電発振器等の電子デバイスを電子機器の限られた空間に搭載しなければならないので、この電子デバイスの小型化を要求している。しかし前述した圧電デバイスでは、平面サイズが大きくなってしまうので、この要求に応えることができない。
【０００６】
本発明は、小型化した圧電デバイスの製造方法および圧電デバイスを提供することを目的とする。また、この圧電デバイスを利用した電子機器を提供することを目的とする。
【課題を解決するための手段】
【０００７】
本発明は、上述の課題の少なくとも一部を解決するためになされたものであり、以下の形態または適用例として実現することが可能である。
【０００８】
［適用例１］シート基板における複数のデバイス形成領域に電子部品および圧電振動子をそれぞれ配置して、前記デバイス形成領域毎に配置した前記圧電振動子と前記電子部品とを導通する工程と、前記圧電振動子のベースと前記シート基板とを切断して、前記デバイス形成領域毎に個片化する工程と、を順に行うことを特徴とする圧電デバイスの製造方法。
これにより個片化した後の基板および圧電振動子の各側面が圧電デバイスの表面に露出
して、同一面を形成することができるので、圧電デバイスの平面サイズを小型化できる。また圧電デバイスは、圧電振動子のベースの一部を切断して形成するため、圧電振動子の平面サイズよりも小型にできる。さらに圧電デバイスを製造するには、圧電振動子のベースの一部を切断しているので、シート基板上に配置する圧電デバイス同士の間隔を狭くすることができる。これにより１枚のシート基板に配置する圧電振動子の数を多くでき、１枚のシート基板から得られる圧電デバイスの数を多くできる。
【０００９】
［適用例２］前記圧電振動子と前記電子部品とを導通する工程は、前記圧電振動子を前記電子部品の上方に配置し、前記デバイス形成領域毎に配置した前記圧電振動子と前記電子部品とを導通する工程であり、前記個片化する工程の前に、前記電子部品を樹脂モールド材で覆う工程を行うことを特徴とする適用例１に記載の圧電デバイスの製造方法。
圧電デバイスは、圧電振動子と電子部品を２階建て構造にしているので、その平面サイズを小型にできる。また圧電デバイスは、その上部に樹脂モールド材を設けてなく、圧電振動子が上面に露出しているので低背化できる。
【００１０】
［適用例３］シート基板に電子部品を配置する工程と、前記シート基板に接続部材を配置し、前記接続部材を介して圧電振動子を配置して、前記電子部品と前記圧電振動子とを高さ方向に並べて配置する工程と、前記圧電振動子と前記シート基板との間を樹脂モールド材で充たすとともに、少なくとも前記圧電振動子の側面を前記樹脂モールド材で覆う工程と、前記圧電振動子のベースと前記シート基板と前記樹脂モールド材とを一括して切断する工程と、を順に行うことを特徴とする圧電デバイスの製造方法。
【００１１】
圧電デバイスは、圧電振動子と電子部品を２階建て構造にしているので、平面サイズを小型にできる。また圧電振動子の下方および側面を樹脂モールド材で覆っており、発明の形態によっては圧電振動子の上部も樹脂モールド材で覆っている。これにより圧電振動子を保護することができ、圧電デバイスの信頼性が向上する。さらに個片化した後の圧電デバイスの側面には、圧電振動子、基板および樹脂モールド材の各側面が露出しており、この各側面が同一面内にある。これにより圧電デバイスは、平面サイズを小型にできる。
【００１２】
［適用例４］前記樹脂モールド材で覆う工程は、前記圧電振動子と前記シート基板との間を前記樹脂モールド材で充たすとともに、前記圧電振動子の前記側面および前記圧電振動子の上部を覆う工程であり、前記樹脂モールド材で覆う工程の後に、前記圧電振動子の前記上部を覆った前記樹脂モールド材を取り除く工程を行うことを特徴とする適用例３に記載の圧電デバイスの製造方法。
このような圧電デバイスは、圧電振動子とシート基板との間は樹脂モールド材によって充たされているが、圧電振動子の上部がこのデバイスの外部に露出する構成になる。よって圧電デバイスは、高さを低くすることができるとともに、電子部品を樹脂モールド材で保護することができる。
【００１３】
［適用例５］前記樹脂モールド材で覆う工程は、前記圧電振動子の前記側面に形成したキャスタレーションを前記樹脂モールド材で覆うことを特徴とする適用例３または４に記載の圧電デバイスの製造方法。
このキャスタレーションを覆う工程は、前述した少なくとも電子部品の周囲を樹脂モールド材で覆う工程と同時に行うことができる。これによりキャスタレーションを保護することができる。また圧電振動子の上部に樹脂モールド材を設けるとともに、基板と圧電振動子の間（中間部）に樹脂モールド材を設けている場合には、キャスタレーションを覆った樹脂モールド材で上部と中間部の樹脂モールド材を接続することができる。よって樹脂モールド材を一体化することができ、圧電デバイスの信頼性がより向上する。
【００１４】
［適用例６］前記圧電振動子のベースの切断は、圧電振動子を構成するパッケージベー
スの側壁、または圧電振動子を構成するベース板を切断することを特徴とする適用例１ないし５のいずれかに記載の圧電デバイスの製造方法。
圧電デバイスは、圧電振動子の側壁またはベース板の一部を切断して形成するため、平面サイズをより小型にできる。
【００１５】
［適用例７］前記圧電振動子は、予め個片化してあることを特徴とする適用例１ないし６のいずれかに記載の圧電デバイスの製造方法。
個片化してある圧電振動子を用いると、様々な種類の圧電振動子を圧電デバイスに搭載できる。また圧電振動子は、個片化した状態で周波数調整する場合があり、また個片化した状態で製品検査を行っているので、正常に動作する製品のみを圧電デバイスに搭載できる。よって圧電デバイスの不良品の発生を低減できる。
【００１６】
［適用例８］基板の一方の面に電子部品を配設して、前記基板の他方の面に設けた外部端子と導通し、前記基板の一方の面に接続部材を介して圧電振動子を設けて、前記電子部品と前記圧電振動子とを２階建て構造にするとともに、前記電子部品と前記圧電振動子とを導通し、前記基板と前記圧電振動子との間に樹脂モールド材を設け、前記圧電振動子、前記樹脂モールド材および前記基板のそれぞれの側面が同一面内にある、ことを特徴とする圧電デバイス。
これにより圧電デバイスの平面サイズを小型にすることができる。
【００１７】
［適用例９］適用例８に記載の圧電デバイスを搭載したことを特徴とする電子機器。
電子機器には、より小型化されていく傾向の高いものがある。このような電子機器では、圧電デバイスを始めとする様々な電子デバイスを搭載する空間が限られているが、前述した特徴を有する圧電デバイスは少なくとも平面方向が小型化されているので、この圧電デバイスを前記空間に搭載することができる。
【発明を実施するための最良の形態】
【００１８】
以下に、本発明に係る圧電デバイスの製造方法、圧電デバイスおよび電子機器の最良の実施形態について説明する。圧電デバイスの概略構成は、次のようになっている。図１は圧電デバイスの断面図である。圧電デバイス１０は基板１２を有しており、この基板１２の他方の面に外部端子１４を設けている。また基板１２の一方の面に絶縁膜１６が設けてある。この絶縁膜１６の上に電子部品３２を配設しており、電子部品３２と外部端子１４が導通している。さらに基板１２の一方の面に、絶縁膜１６から露出した接続部材配置用電極１８を設けている。この接続部材配置用電極１８の上に接続部材３０を設けており、接続部材３０の上に圧電振動子４０を設けている。これにより圧電デバイス１０は、電子部品３２と圧電振動子４０とを高さ方向に並べて配置した構造になっている。
【００１９】
この圧電振動子４０は、パッケージ４４と圧電振動片４２を有している。このパッケージ４４は、凹陥部４８を備えたパッケージベース４６（ベース）と、このパッケージベース４６の上面に接合したリッド５８とを備えている。このリッド５８により、凹陥部４８を気密封止している。またパッケージベース４６は、その底面（凹陥部４８の底面）にマウント電極５０を備えるとともに、裏面に振動子端子５２を備えており、マウント電極５０と振動子端子５２が１対１に導通している。このマウント電極５０の上に導電性接着剤５４を設けており、この導電性接着剤５４によって圧電振動片４２を電気的および機械的に接続している。この圧電振動片４２は、ＡＴカットされた圧電基板等を用いた圧電振動片、音叉型圧電振動片、弾性表面波素子片等であればよい。
【００２０】
そして前述した接続部材３０は、振動子端子５２と電気的および機械的に接続している。また接続部材３０および振動子端子５２を介してマウント電極５０に導通した接続部材配置用電極１８は、電子部品３２と導通している。これにより圧電振動片４２と電子部品
３２が導通する。そして基板１２と圧電振動子４０との間に樹脂モールド材３８を設けるとともに、リッド５８を除いた圧電振動子４０の上部に樹脂モールド材３８を設けている。この圧電振動子４０（パッケージベース４６）、樹脂モールド材３８および基板１２のそれぞれの側面が同一面を形成している。
【００２１】
このような圧電デバイス１０の製造方法は、次のようになっている。図２ないし図４は圧電デバイスの製造工程の説明図である。最初に、シート基板２０に電子部品３２等を配置する工程を説明する。まず図２（Ａ）に示すように、絶縁性のシート基板２０を用意する。このシート基板２０は、複数のデバイス形成領域を有している。そしてシート基板２０の他方の面には、デバイス形成領域毎に外部端子１４を複数設けている。なおシート基板２０は、圧電デバイス１０を個片化するために、デバイス形成領域毎に切断すると基板１２になる。
【００２２】
またシート基板２０の一方の面には、デバイス形成領域毎にワイヤボンディング用電極（図示せず）や接続部材配置用電極１８、シールド電極（図示せず）等を設けている。前記ワイヤボンディング用電極は、電子部品３２を搭載したときに、この電子部品３２と導通するためのワイヤ３６が接合される電極である。また前記ワイヤボンディング用電極は、電子部品３２の周囲に配置されるように、シート基板２０上に設けてある。接続部材配置用電極１８は、シート基板２０上に圧電振動子４０を搭載するための接続部材３０が配設される電極である。そして接続部材配置用電極１８は、複数有るうちの少なくとも２つ（圧電振動片４２と導通する電極）が前記ワイヤボンディング用電極と１対１に配線パターン２２を介して導通している。
【００２３】
前記シールド電極は、電子部品３２を搭載したときに、この電子部品３２の下方に位置するように配置してある。前記シールド電極は、配線パターン２２等を介して、グランド電位となる外部端子１４（グランド端子）と導通している。前記シールド電極は、圧電デバイス１０の外部から加わる電磁波ノイズ等から悪影響を受けるのを防止している。そして前記ワイヤボンディング用電極の一部や前記シールド電極は、シート基板２０上におけるデバイス形成領域内を引き回された配線パターン２２を介して導通部２４と接続している。この導通部２４は、シート基板２０を貫通して設けられており、外部端子１４と導通している。この導通部２４は、例えばビアホール等であればよい。
【００２４】
そして接続部材配置用電極１８および前記ワイヤボンディング用電極を除き、シート基板２０、配線パターン２２および前記シールド電極の上に絶縁膜１６を設けている。この絶縁膜１６は、例えばレジスト膜等であればよい。なお配線パターン２２や導通部２４、前記シールド電極は、絶縁膜１６によって覆われているので、他の配線パターン２２等とショートすることがなく、また後述するように絶縁膜１６上に固着した電子部品３２と直接にショートすることもない。よって配線パターン２２や導通部２４等を、電子部品３２の下方位置に配置することが可能になるので、１層構造のシート基板２０を用いることができ、また配線パターン２２の引き回しの自由度や導通部２４の設ける位置の自由度が向上する。
また絶縁膜１６は、電子部品３２の下側のみに設けてあってもよい。
【００２５】
次に、図２（Ｂ）に示すように、接続部材配置用電極１８の上に接続部材３０を設ける。接続部材３０は、導電性を有するものであり、例えば半田ボール等であればよい。また接続部材３０は、銅ボールまたは樹脂ボール等で形成されるコアを半田メッキしたものであってもよい。このように接続部材３０を２重構造とすることにより、前記コアがスペーサとしての役割を果し、接続部材３０の上に配設される圧電振動子４０のシート基板２０からの高さが一定に保たれるとともに、接続部材配置用電極１８と圧電振動子４０の電気的および機械的な接続が確保される。
【００２６】
次に、図２（Ｃ）に示すように、各デバイス形成領域の絶縁膜１６の上に電子部品３２を配置する。この電子部品３２は、例えば接着剤やテープ等の接合材を用いて固着する。この接合材は、非導電性であるのが好ましい。また電子部品３２は、圧電振動子４０に電気信号を供給して、発振・増幅させる回路（発振回路）を備えていれば良く、集積回路（ＩＣ）チップになっている。この電子部品３２の能動面には、ワイヤボンディング用パッド３４が設けてある。そして電子部品３２は、能動面を上方に向け、非能動面をシート基板２０側に向けて搭載してある。
【００２７】
次に、図２（Ｄ）に示すように、ワイヤボンディング用パッド３４と前記ワイヤボンディング用電極にワイヤ３６を接合して、これらを導通する。なおワイヤ３６を接合するときは、まず前記ワイヤボンディング用電極にワイヤ３６の一端を接合してワイヤ３６を上方に引上げた後、ワイヤ３６を横方向に引き出してワイヤボンディング用パッド３４に接合し、その後切断すればよい。このような逆ボンディング法を用いることにより、ワイヤ３６と電子部品３２の角部とが接触することがなく、また前記ワイヤボンディング用電極と電子部品３２との距離が近い場合であってもワイヤボンディングを行える。以上により、接続部材３０と電子部品３２が導通するとともに、電子部品３２と外部端子１４が導通する。
【００２８】
そして第２に、圧電振動子４０等を配置する工程を説明する。まず図３（Ａ）に示すように、デバイス形成領域毎に圧電振動子４０を配置する。すなわち圧電振動子４０を接続部材３０の上に配置して、圧電振動子４０の振動子端子５２と接続部材３０を接合する。これにより圧電デバイス１０は、電子部品３２と圧電振動子４０を２階建てにした構造になり、デバイス形成領域毎に配置してある電子部品３２と圧電振動子４０が接続部材３０を介して導通する。なお圧電振動子４０の裏面とワイヤ３６は接触していない。
【００２９】
次に、図３（Ｂ）に示すように、圧電振動子４０のリッド５８が覆われるように、樹脂モールド材３８を流し込む。これによりシート基板２０と圧電振動子４０の間も樹脂モールド材３８で充たされるとともに、圧電振動子４０の上部も樹脂で覆われる。
【００３０】
次に、図３（Ｃ）に示すように、リッド５８の表面に板状の部材３９を当接させつつ平行に移動させて、リッド５８の表面を覆う樹脂モールド材３８を取り除く。そして樹脂モールド材３８が硬化すると、シート基板２０と圧電振動子４０の間が樹脂モールド材３８で充たされた状態となる。
【００３１】
そして第３に、圧電デバイス１０を個片化する工程を説明する。図４（Ａ）に示すように、デバイス形成領域毎に切断して個片化する。具体的には、図４（Ａ）の破線で示す部分、すなわち圧電振動子４０（パッケージベース４６）の側壁５６の一部、シート基板２０および樹脂モールド材３８を切断する。この切断により、圧電振動子４０、樹脂モールド材３８および基板１２のそれぞれの側面が同一面を形成する。なお圧電振動子４０の側壁５６の一部を切断した場合であっても、圧電振動子４０の内部（凹陥部４８）は気密封止されたままである。
そして個片化した圧電デバイス１０は、図４（Ｂ）に示すようになる。以上により、圧電デバイス１０の製造は終了する。
【００３２】
このようにして製造された圧電デバイス１０は、圧電振動子４０と発振回路（電子部品３２）を備えているので圧電発振器となる。なお電子部品３２は、前記発振回路の他にも、電圧制御回路や温度補償回路、プログラムすることにより任意の出力周波数を設定できる回路、圧電振動子４０から出力された周波数信号から年月日等のディジタルデータを作り出力する回路、ジャイロセンサ用の駆動・検出回路等を備えることもできる。このよう
な回路を備えた圧電デバイス１０は、電圧制御機能や温度補償機能を備えた圧電発振器、リアルタイムクロック装置またはジャイロセンサ等になる。
【００３３】
そして、以上説明した製造方法およびこの製造方法により得られた圧電デバイス１０によれば、基板１２、圧電振動子４０および樹脂モールド材３８の各側面を表面に露出して同一面を形成しているので、圧電デバイス１０の平面サイズを小型化できる。そして圧電デバイス１０は、圧電振動子４０の側壁５６の一部を切断して形成するため、圧電振動子４０の平面サイズよりも小型にできる。なお圧電デバイス１０は、圧電振動子４０と電子部品３２を２階建て構造にし、接続部材３０やワイヤ３６等を圧電振動子４０の平面方向の領域内に収めているので、平面サイズを小型にできる。さらに圧電デバイス１０の上部に圧電振動子４０のリッド５８が露出しているので、圧電デバイス１０を低背化できる。
【００３４】
また圧電振動子４０の側壁５６の一部を切断しているので、シート基板２０上に配置する圧電デバイス１０同士の間隔を狭くすることができる。このため圧電振動子の側壁を切断しない従来の場合に比べて、１枚のシート基板２０に配置する圧電振動子４０の数を多くできる。すなわち１枚のシート基板２０に設けるデバイス形成領域を多くすることができ、１枚のシート基板２０から得られる圧電デバイス１０の数を多くできる。
【００３５】
また圧電振動子４０と基板１２との間を樹脂モールド材３８で充たしているので、電子部品３２、接続部材３０およびワイヤ３６を絶縁することができるとともに、外部からの衝撃等から電子部品３２等を保護することができ、圧電デバイス１０の信頼性が向上する。
【００３６】
また個片化してある圧電振動子４０を用いると、様々な種類の圧電振動子４０を圧電デバイス１０に搭載できる。また圧電振動子４０は、個片化した状態で周波数調整する場合があり、また個片化した状態で製品検査を行っているので、正常に動作する製品のみを圧電デバイス１０に搭載できる。よって圧電デバイス１０の不良品の発生を低減できる。
【００３７】
なお図１等に示す圧電デバイス１０は、これの側面に振動子端子５２が露出しているが、振動子端子５２が側面に露出していない形態であってもよい。すなわち圧電振動子４０の側壁５６の一部を切断したときでも、この切断後のパッケージベース４６の周縁部よりも内側に振動子端子５２を設けておく。これにより振動子端子５２は、その側面が樹脂モールド材３８により覆われて、圧電デバイス１０の側面に露出しなくなる。この場合、外気や水蒸気等の影響を振動子端子５２が受けることを防止できるので、発振周波数が変わる等の影響を受けることを防止できる。
【００３８】
また前述した実施形態では、圧電デバイス１０の上面に圧電振動子４０のリッド５８が露出した形態であるが、圧電デバイスの上面が樹脂モールド材３８で覆われた形態であってもよい。すなわち図３（Ｃ）を用いて説明した工程を行わずに、図３（Ｂ）に示す圧電振動子４０とシート基板２０との間に樹脂モールド材３８を注入するとともに、圧電振動子４０の上部を樹脂モールド材３８で覆う工程をした後、図４（Ａ）に示すような圧電振動子４０の側壁５６の一部、シート基板２０および樹脂モールド材３８を切断する工程を行ってもよい。そして、この工程によって得られる第１の変形例に係る圧電デバイス６０は、図５（Ａ）に示すようになる。これにより圧電振動子４０のリッド５８（図５（Ａ）では図示せず）を樹脂モールド材３８で保護することができ、圧電デバイス６０の信頼性が向上する。
【００３９】
また第２の変形例として図５（Ｂ）に示すように、圧電デバイス６２は、その上部を完全に樹脂モールド材３８から露出した形態であってもよい。図１等を用いて説明した圧電デバイス１０は、圧電振動子４０のリッド５８の上面が樹脂モールド材３８で覆われてい
ないが、リッド５８の側部に樹脂モールド材３８が設けられている。このため図５（Ｂ）に示すように、圧電デバイス６２は、圧電振動子４０のリッド５８の上面とともに側部にも樹脂モールド材３８を設けていない形態とすることができる。
【００４０】
また第３の変形例として図６に示す形態のものがある。ここで図６（Ａ）は本変形例に係る圧電振動子の平面図であり、同図（Ｂ）は本変形例に係る圧電デバイスの斜視図である。なお図６では、凹陥部４８、マウント電極５０および振動子端子５２の記載を省略している。圧電振動子６４には、図６（Ａ）に示すように、パッケージベース４６の四隅にキャスタレーション６６を設けたものがある。キャスタレーション６６は、パッケージベース４６の高さ方向に沿った角部に凹部を設け、この凹部の表面をメタライズすること等により形成してある。そして例えば、このキャスタレーション６６を介して、凹陥部４８の底面に設けたマウント電極５０と、パッケージベース４６の裏面に設けた振動子端子５２とが導通している。
【００４１】
そして、この圧電振動子６４を用いた圧電デバイス６８は、図２ないし図４を用いて説明した形態と同様にして製造すればよい。なおシート基板２０に形成した圧電デバイス６８を個片化する場合（図４（Ａ）に示す工程のとき）は、図６（Ａ）において破線で示す箇所で圧電振動子６４を切断すればよい。このようにして製造した圧電デバイス６８は、図６（Ｂ）に示すようになり、圧電振動子６４に形成したキャスタレーション６６が樹脂モールド材３８で充たされている。そしてこの場合も、圧電振動子６４、基板１２および樹脂モールド材３８の各側面が同一面内にある。なお図６（Ｂ）は、圧電デバイス６８の上部にも樹脂モールド材３８を設けた形態を示しているが、図１や図５（Ｂ）に示すように圧電振動子６４のリッド５８が圧電デバイス６８の上面に露出した形態であってもよい。
【００４２】
さらに第４の変形例として図７に示す形態のものがある。第４の変形例に係る圧電デバイス７０は、前述した実施形態に係る圧電デバイス１０と比較して、圧電振動子の構成が異なっている。この変形例の圧電振動子７２は、圧電振動片４２を搭載するベースとして、板状になっているベース板７４を有している。ベース板７４は、その上面にマウント電極５０を備えるともに、その下面に振動子端子５２を備えている。そしてマウント電極５０と振動子端子５２は導通している。このマウント電極５０の上には、導電性接着剤５４によって圧電振動片４２を電気的および機械的に接続している。またベース板７４の上にシームリング７６が設けてあり、圧電振動片４２の周囲に配設してある。なお圧電振動片４２とシームリング７６は接触していない。そしてシームリング７６の上にリッド５８を配設して、圧電振動片４２を気密封止している。
【００４３】
このような圧電振動子７２は、基板１２に配設された接続部材３０の上に配設している。これにより圧電デバイス７０は２階建て構造となる。そして圧電振動子７２と基板１２との間に樹脂モールド材３８を設けるとともに、リッド５８の上面を除いた圧電振動子７２の周囲に樹脂モールド材３８を設けている。そして圧電振動子７２（ベース板７４）、樹脂モールド材３８および基板１２のそれぞれの側面が同一面を形成している。
【００４４】
そして圧電デバイス７０を製造するには、圧電振動片４２、シームリング７６およびリッド５８をベース板７４の上に配置した圧電振動子７２を形成しておく。一方、シート基板２０に電子部品３２等を配置するには、図２を用いて説明した工程を行えばよい。この後、圧電振動子７２をシート基板２０に搭載して、デバイス形成領域毎に電子部品３２と圧電振動子７２を導通する。次に、樹脂モールド材３８で電子部品３２や圧電振動子７２等を覆う。そしてベース板７４、シート基板２０および樹脂モールド材３８を切断して、デバイス形成領域毎に圧電デバイス７０を個片化する。
【００４５】
これにより圧電振動子７２、樹脂モールド材３８および基板１２の各側面が同一面を形成して、圧電デバイス７０は平面サイズを小型化できる。また圧電振動子７２は、前述した実施形態の圧電振動子４０よりも薄型化できるので、本変形例に係る圧電デバイス７０は、より薄型化できる。
【００４６】
なお図７に示す圧電デバイス７０は、リッド５８の上面を樹脂モールド材３８で覆っていない構成である。しかし圧電デバイス７０は、リッド５８の上面を樹脂モールド材３８で覆っている構成であってもよい。
また図７に示す圧電デバイス７０は、振動子端子５２が側面に露出した構成である。しかし圧電デバイス７０は、振動子端子５２が側面に露出していない構成であってもよい。
【００４７】
また前述した圧電振動子７２は、予め個片化されている。しかし圧電振動子７２は、複数のデバイス形成領域が形成されるシート状のベース板７４を用いて形成してあってもよい。すなわちシート状のベース板７４のデバイス形成領域毎に圧電振動片４２、シームリング７６およびリッド５８を配置して、互いに繋がっている圧電振動子７２を形成する。そして接続部材３０を介して、このシート状の圧電振動子７２をシート基板２０の上に配置した後、樹脂モールド材３８で覆う。この後、ベース板７４、シート基板２０および樹脂モールド材３８を切断して、圧電デバイス７０を個片化する。このように圧電デバイス７０を製造してもよい。
【００４８】
さらに圧電デバイスは、樹脂モールド材３８を設けない構成であってもよい。これは、シート基板２０の圧電デバイス形成領域毎に圧電振動子４０を配置する工程（図３（Ａ）に示す工程）の後に、圧電振動子４０の側壁５６やベース板７４の一部とシート基板２０を切断する工程を行えばよい。このような圧電デバイスであっても、圧電振動子４０の側面と基板１２の側面が同一面内にあり、平面サイズが小型化されている。
【００４９】
さらに圧電デバイスは、シート基板２０と圧電振動子４０の間を全て樹脂モールド材３８で充たす形態ばかりでなく、電子部品３２の周囲のみを樹脂モールド材３８で覆った構成であってもよい。これにより樹脂モールド材３８で電子部品３２を保護することができる。
【００５０】
そして前述した圧電デバイスは、様々な電子機器に搭載することができる。以下では、この電子機器の一例として、ディジタル式携帯電話について説明する。図８はディジタル式携帯電話の概略構成図である。ディジタル式携帯電話１００は、送受信信号の送信部１０２および受信部１０４等を有し、この送信部１０２および受信部１０４に、これらを制御する中央演算装置（ＣＰＵ）１０６が接続している。またＣＰＵ１０６は、送受信信号の変調および復調の他に表示部や情報入力のための操作キー等からなる情報の入出力部１０８や、ＲＡＭ，ＲＯＭ等からなるメモリ１１０の制御を行っている。このためＣＰＵ１０６には、圧電発振器１１２が取付けられ、この圧電発振器１１２から出力されるクロック信号を利用している。またＣＰＵ１０６は温度補償型圧電発振器１１４と接続しており、この温度補償型圧電発振器１１４は送信部１０２と受信部１０４とに接続している。これによりＣＰＵ１０６からの基本クロックが、環境温度が変化した場合に変動しても、温度補償型圧電発振器１１４により修正されて、送信部１０２および受信部１０４に与えられるようになっている。そして圧電発振器１１２や温度補償型圧電発振器１１４に、前述した圧電デバイス１０，６０，６２，６８，７０等を利用できる。
【００５１】
そしてディジタル式携帯電話１００は、近年小型化されているので、圧電デバイスを始めとする様々な電子デバイスを搭載する空間が限られているが、前述した圧電デバイス１０，６０，６２，６８，７０等は少なくとも平面方向が小型化されているので、この圧電デバイス１０，６０，６２，６８，７０等を前記空間に搭載することができる。
【図面の簡単な説明】
【００５２】
【図１】圧電デバイスの断面図である。
【図２】シート基板に電子部品等を配置する工程の説明図である。
【図３】圧電振動子等を配置する工程の説明図である。
【図４】圧電デバイスを個片化する工程の説明図である。
【図５】第１，２の変形例に係る圧電デバイスの斜視図である。
【図６】第３の変形例に係る圧電デバイスの斜視図である。
【図７】第４の変形例に係る圧電デバイスの断面図である。
【図８】ディジタル式携帯電話の概略構成図である。
【符号の説明】
【００５３】
１０，６０，６２，６８，７０………圧電デバイス、１２………基板、１４………外部端子、２０………シート基板、３０………接続部材、３２………電子部品、３８………樹脂モールド材、４０，６４，７２………圧電振動子、４６………パッケージベース、５６………側壁、５８………リッド、６６………キャスタレーション、７４………ベース板、１００………ディジタル式携帯電話。
【図１】
2008136169.tif 000003
【図２】
2008136169.tif 000004
【図３】
2008136169.tif 000005
【図４】
2008136169.tif 000006
【図５】
2008136169.tif 000007
【図６】
2008136169.tif 000008
【図７】
2008136169.tif 000009
【図８】
2008136169.tif 000010